(57)【特許請求の範囲】
【請求項１】
その内部を破砕室（３）としたケーシング（１）と、上記破砕室（３）を横切って配置され且つ適宜の駆動源により回転駆動される回転軸（Ｖ）と、上記回転軸（Ｖ）の外周に取り付けられてこれと一体的に回転する複数のハンマー（１０），（１０）・・とを備え、上記破砕室（３）内に投入された被破砕物を、上記複数のハンマー（１０），（１０）・・の回転に伴う衝撃力によって破砕するようにした破砕機であって、
上記回転軸（Ｖ）が、上記破砕室（３）を貫通し且つその一端（２１ａ）が上記ケーシング（１）の端面壁（１Ａ）より外方へ突出した状態で配置されて回転駆動される第１回転軸（２１）と、その外周面に上記ハンマー（１０），（１０）・・が取り付けられるとともに上記第１回転軸（２１）の外側に挿脱自在に嵌挿され且つ上記ハンマー（１０），（１０）・・が上記破砕室（３）内に位置する嵌挿状態においては上記第１回転軸（２１）と一体的に回転可能とされる第２回転軸（２２）とで構成され、
上記第２回転軸（２２）を上記第１回転軸（２１）への嵌挿状態から該第１回転軸（２１）の一端（２１ａ）側へ引き出すことで上記ハンマー（１０），（１０）・・が上記破砕室（３）の外側へ取り出されることを特徴とする破砕機。
【請求項２】
その内部を破砕室（３）としたケーシング（１）と、上記破砕室（３）を横切って配置され且つ適宜の駆動源により回転駆動される回転軸（Ｖ）と、上記回転軸（Ｖ）の外周に取り付けられてこれと一体的に回転する複数のハンマー（１０），（１０）・・とを備え、上記破砕室（３）内に投入された被破砕物を、上記複数のハンマー（１０），（１０）・・の回転に伴う衝撃力によって破砕するようにした破砕機であって、
上記回転軸（Ｖ）が、回転駆動される第１回転軸（２１）と、その外周面に上記ハンマー（１０），（１０）・・が取り付けられるとともに上記第１回転軸（２１）の外側に挿脱自在に嵌挿され且つ上記ハンマー（１０），（１０）・・が上記破砕室（３）内に位置する嵌挿状態においては上記第１回転軸（２１）と一体的に回転可能とされる第２回転軸（２２）とで構成されるとともに、
上記第１回転軸（２１）と略同径で且つ該第１回転軸（２１）の一端（２１ａ）に対してこれと略同軸状に取り付けられる補助軸（２３）が備えられ、
上記第２回転軸（２２）が上記第１回転軸（２１）への嵌挿状態から該第１回転軸（２１）の一端（２１ａ）側へ引き出される時、上記補助軸（２３）によって上記第２回転軸（２２）が支持されることを特徴とする破砕機。
【発明の詳細な説明】
【０００１】
【発明の属する技術分野】
【０００２】
本願発明は、ハンマー式の破砕機に関するものである。
【従来の技術】
【０００３】
従来から、例えばガラス瓶等の破砕可能な資源ゴミの再利用を容易とする観点から、使用済みのガラス瓶等を細かく破砕することが行われている。かかるガラス瓶等の破砕に使用される破砕機として、種々の機構・構造のものが提案され且つ実用化されているが、その中でも特にハンマー式の破砕機が、構造の簡単さ、運転コストの安さ等の利点から、広く普及している。
【０００４】
従来一般的なハンマー式の破砕機は、その内部を所定容積の破砕室としたケーシングの該破砕室内に、モーター等の駆動源により回転駆動される回転軸を、該破砕室を貫通するように配置してこれを固定するとともに、該駆動軸の上記破砕室内部に対応する部分に複数個のハンマーを所定間隔で取付けて構成され、該ハンマーを上記駆動軸と一体的に回転させることで該ハンマーによりガラス瓶等の被破砕物を殴打し、その衝撃力によってこれを細かく破砕するようになっている。
【０００５】
また、このハンマー式の破砕機においては、ハンマーは勿論のこと、これが支持された回転軸も、共に破砕室内に配置されており、破砕作業中は被破砕物及び破砕された細かな破砕片と常時接触することから、作業時間の累積とともに次第に摩滅が進行し、破砕能力の低下につながる。このため、定期的にこれらを交換して破砕能力の回復を図ることが必要となる。
【発明が解決しようとする課題】
【０００６】
ところで、従来のハンマー式の破砕機においては、上述のように、回転軸が破砕室内に固定配置され、且つこの回転軸に対してハンマーが直接固定された構造であることから、ハンマーとか回転軸の交換作業を行う場合、例えばこの交換作業を破砕室の外部で行おうとすると、大重量の回転軸の着脱と搬入・搬出が必要であることから作業工数が多大となり交換コストが非常に高くなることから、従来一般には作業者が破砕室内に入って交換作業を行うようにしている。
【０００７】
ところが、かかる破砕室内での作業は、作業スペースが狭くて適正な作業動作がとりにくく、また破砕室の壁面等に付着残留した破砕微粉が作業者の動きによって周囲に飛散浮遊し作業環境が損なわれること等から、作業能率が低劣であり、特に、回転軸の交換作業においては、これが大重量であることから、作業能率の低下がより顕著となり、作業コストという点において大きな問題があった。
【０００８】
また、回転軸が一体構造とされているので、これが摩滅した場合にはこの回転軸全体を交換する必要があり、交換部品コストが高くつくことから不経済であった。
【０００９】
そこで本願発明は、かかる従来の破砕機における問題点に鑑み、ハンマー等の交換作業を破砕室の外側において行うことを可能とすることでハンマー等の交換作業における作業能率の向上を図るとともに、併せて交換部品コストを低く抑えることを目的としてなされたものである。
【課題を解決するための手段】
【００１０】
本願発明ではかかる課題を解決するための具体的手段として次のような構成を採用している。
【００１１】
本願の第１の発明では、その内部を破砕室３としたケーシング１と、上記破砕室３を横切って配置され且つ適宜の駆動源により回転駆動される回転軸Ｖと、上記回転軸Ｖの外周に取り付けられてこれと一体的に回転する複数のハンマー１０，１０・・とを備え、上記破砕室３内に投入された被破砕物を、上記複数のハンマー１０，１０・・の回転に伴う衝撃力によって破砕するようにした破砕機において、上記回転軸Ｖを、上記破砕室３を貫通し且つその一端２１ａが上記ケーシング１の端面壁１Ａより外方へ突出した状態で配置されて回転駆動される第１回転軸２１と、その外周面に上記ハンマー１０，１０・・が取り付けられるとともに上記第１回転軸２１の外側に挿脱自在に嵌挿され且つ上記ハンマー１０，１０・・が上記破砕室３内に位置する嵌挿状態においては上記第１回転軸２１と一体的に回転可能とされる第２回転軸２２とで構成し、上記第２回転軸２２を上記第１回転軸２１への嵌挿状態から該第１回転軸２１の一端２１ａ側へ引き出すことで上記ハンマー１０，１０・・が上記破砕室３の外側へ取り出されるようにしたことを特徴としている。
【００１２】
本願の第２の発明では、その内部を破砕室３としたケーシング１と、上記破砕室３を横切って配置され且つ適宜の駆動源により回転駆動される回転軸Ｖと、上記回転軸Ｖの外周に取り付けられてこれと一体的に回転する複数のハンマー１０，１０・・とを備え、上記破砕室３内に投入された被破砕物を、上記複数のハンマー１０，１０・・の回転に伴う衝撃力によって破砕するようにした破砕機において、上記回転軸Ｖを、回転駆動される第１回転軸２１と、その外周面に上記ハンマー１０，１０・・が取り付けられるとともに上記第１回転軸２１の外側に挿脱自在に嵌挿され且つ上記ハンマー１０，１０・・が上記破砕室３内に位置する嵌挿状態においては上記第１回転軸２１と一体的に回転可能とされる第２回転軸２２とで構成するとともに、上記第１回転軸２１と略同径で且つ該第１回転軸２１の一端２１ａに対してこれと略同軸状に取り付けられる補助軸２３を備え、上記第２回転軸２２を上記第１回転軸２１への嵌挿状態から該第１回転軸２１の一端２１ａ側へ引き出す時、上記補助軸２３によって上記第２回転軸２２を支持することを特徴としている。
【発明の効果】
【００１３】
本願発明ではかかる構成とすることにより次のような効果が得られる。
【００１４】
（１）  本願の第１の発明にかかる破砕機によれば、上記破砕室３を貫通し且つその一端２１ａが上記ケーシング１の端面壁１Ａより外方へ突出した状態で配置されて回転駆動される第１回転軸２１と、その外周面に上記ハンマー１０，１０・・が取り付けられるとともに上記第１回転軸２１の外側に挿脱自在に嵌挿され且つ上記ハンマー１０，１０・・が上記破砕室３内に位置する嵌挿状態においては上記第１回転軸２１と一体的に回転可能とされる第２回転軸２２とで構成し、上記第２回転軸２２を上記第１回転軸２１への嵌挿状態から該第１回転軸２１の一端２１ａ側へ引き出すことで上記ハンマー１０，１０・・が上記破砕室３の外側へ取り出されるようにしている。
【００１５】
従って、破砕作業時には、上記ハンマー１０，１０・・が上記破砕室３内に位置するように上記第２回転軸２２を上記第１回転軸２１に対して嵌挿することでこれら両者が一体的に回転可能とされ、上記第１回転軸２１の回転駆動に伴って上記ハンマー１０，１０・・が回転し、上記破砕室３内に投入された被破砕物がハンマー１０，１０・・の衝撃力によって細かく破砕される。
【００１６】
一方、上記ハンマー１０，１０・・等の交換作業時には、上記第１回転軸２１が上記破砕室３を貫通し且つその一端２１ａが上記ケーシング１の端面壁１Ａより外方へ突出した状態で配置されているので、上記第２回転軸２２を上記第１回転軸２１の一端２１ａ側に引き出すことで該第２回転軸２２に取り付けられた上記ハンマー１０，１０・・が上記破砕室３の外側に取り出され、上記ハンマー１０，１０・・の交換作業、あるいは上記第２回転軸２２の交換作業は共にこれを破砕室３の外部において行うことが可能となる。この結果、例えば従来のように作業者が破砕室３内に入って交換作業を行う場合に比して、作業スペースが十分に確保され、適正な作業動作及び作業姿勢の下で能率よく作業を行うことができるものである。しかも、この場合、破砕室３の内壁面等に付着残留した破砕微粉の飛散浮遊ということがなく、それだけ安全快適な作業環境下で作業が行われることとなり、作業能率がさらに高められることになる。これらの結果、作業工数が低減し作業コストを低く抑えることができるものである。
【００１７】
また、上記ハンマー１０，１０・・と同様に、破砕作業中、常時被破砕物あるいは破砕片と接触する上記回転軸Ｖも次第に摩滅してその交換が必要となるが、その場合、該回転軸Ｖが上記第１回転軸２１と第２回転軸２２とで構成され、実際に摩滅を生じるのは上記第２回転軸２２のみであるので、この第２回転軸２２のみを交換すれば良い。従って、例えば従来のように、回転軸全体を交換する必要がある場合に比して、交換部品コストが安くつき経済的であるとともに、交換部品の重量が少ないことで交換作業の作業性が向上することにもなる。
【００１８】
このように、この発明の破砕機によれば、回転軸Ｖを第１回転軸２１と第２回転軸２２の二重構造とし且つ外側の第２回転軸２２にハンマー１０，１０・・を取り付ける構成とすることで、ハンマー１０，１０・・等の交換作業における作業コストあるいは交換部品コストの低廉化が図れるという有用な効果が奏せられるものである。
【００１９】
（２）  本願の第２の発明にかかる破砕機によれば、回転駆動される第１回転軸２１と、その外周面に上記ハンマー１０，１０・・が取り付けられるとともに上記第１回転軸２１の外側に挿脱自在に嵌挿され且つハンマー１０，１０・・が上記破砕室３内に位置する嵌挿状態においては上記第１回転軸２１と一体的に回転可能とされる第２回転軸２２とで回転軸Ｖを構成し、上記第２回転軸２２を上記第１回転軸２１への嵌挿状態から該第１回転軸２１の一端２１ａ側へ引き出すことで上記ハンマー１０，１０・・が上記破砕室３の外側へ取り出されるようにしている。
【００２０】
従って、破砕作業時には、上記ハンマー１０，１０・・が上記破砕室３内に位置するように上記第２回転軸２２を上記第１回転軸２１に対して嵌挿することでこれら両者が一体的に回転可能とされ、上記第１回転軸２１の回転駆動に伴って上記ハンマー１０，１０・・が回転し、上記破砕室３内に投入された被破砕物がハンマー１０，１０・・の衝撃力によって細かく破砕される。
【００２１】
一方、上記ハンマー１０，１０・・等の交換作業時には、上記第２回転軸２２を上記第１回転軸２１の一端２１ａ側に引き出すことで該第２回転軸２２に取り付けられた上記ハンマー１０，１０・・が上記破砕室３の外側に取り出され、上記ハンマー１０，１０・・の交換作業、あるいは上記第２回転軸２２の交換作業は共にこれを破砕室３の外部において行うことが可能となる。この結果、例えば従来のように作業者が破砕室３内に入って交換作業を行う場合に比して、作業スペースが十分に確保され、適正な作業動作及び作業姿勢の下で能率よく作業を行うことができるものである。しかも、この場合、破砕室３の内壁面等に付着残留した破砕微粉の飛散浮遊ということがなく、それだけ安全快適な作業環境下で作業が行われることとなり、作業能率がさらに高められることになる。これらの結果、作業工数が低減し作業コストを低く抑えることができるものである。
【００２２】
また、上記ハンマー１０，１０・・と同様に、破砕作業中、常時被破砕物あるいは破砕片と接触する上記回転軸Ｖも次第に摩滅してその交換が必要となるが、その場合、該回転軸Ｖが上記第１回転軸２１と第２回転軸２２とで構成され、実際に摩滅を生じるのは上記第２回転軸２２のみであるので、この第２回転軸２２のみを交換すれば良い。従って、例えば従来のように、回転軸全体を交換する必要がある場合に比して、交換部品コストが安くつき経済的であるとともに、交換部品の重量が少ないことで交換作業の作業性が向上することにもなる。
【００２３】
このように、この発明の破砕機によれば、回転軸Ｖを第１回転軸２１と第２回転軸２２の二重構造とし且つ外側の第２回転軸２２にハンマー１０，１０・・を取り付ける構成とすることで、ハンマー１０，１０・・等の交換作業における作業コストあるいは交換部品コストの低廉化が図れるという有用な効果が奏せられるものである。
【００２４】
さらに、この発明の破砕機では、上記第１回転軸２１と略同径で且つ該第１回転軸２１の一端２１ａに対してこれと略同軸状に取り付けられる補助軸２３を備え、上記第２回転軸２２が上記第１回転軸２１からその一端２１ａ側へ引き出される時、上記補助軸２３によって上記第２回転軸２２を支持するように構成しているので、上記第２回転軸２２の上記第１回転軸２１からの引き出し・押し込み時（即ち、上記ハンマー１０，１０・・の破砕室３への取り出し・組み入れ時）には上記補助軸２３が上記第２回転軸２２のガイドとして機能し、引き出し・押し込み作業がより一層容易となり、それだけ交換作業における作業能率がさらに向上することになる。
【００２５】
また、上記ハンマー１０，１０・・を上記破砕室３の外側に取り出してその交換を行う場合には、上記補助軸２３によって上記第２回転軸２２が支持されることから、該第２回転軸２２の作業時における安定性が良好となり、それだけ作業能率が高められることになる。
【発明の実施の形態】
【００２６】
図１〜図４には、本願発明にかかる破砕機Ｚを示している。この破砕機Ｚは、ハンマーの衝撃力によってガラス瓶等の被破砕物を破砕するハンマー式破砕機であって、基本構成として次述するケーシング１と回転軸ユニットＶ及びハンマーユニットＵを備え、この基本構成によって後述する「破砕作業」を実現するとともに、さらにこの基本構成に後述する「交換作業」を容易にするべく後述の支持部材６と補助軸２３とを備えている。
【００２７】
ケーシング１
上記ケーシング１は、所定間隔をもって対向する第１端面壁１Ａと第２端面壁１Ｂ、及びこれら各端面壁１Ａ，１Ｂを接続する如くこれら両者間に跨がって配置された第３端面壁１Ｃとを備え、これら各壁１Ａ，１Ｂ，１Ｃに囲繞された内部空間を破砕室３としている。
【００２８】
また、上記第１端面壁１Ａには、図２及び図３に示すように、作業用の開口４と被破砕物の投入口となる開口５とが設けられている。そして、上記開口４は、上記第１端面壁１Ａの略中央位置に形成されており、扉体２によって開閉自在に覆蓋される。
【００２９】
尚、上記扉体２は、該扉体２側のブラケット１８と上記第３端面壁１Ｃ側のブラケット１７とを枢支軸１９によって枢動自在に連結するヒンジ機構１６を介して上記ケーシング１に取付けられており、該ヒンジ機構１６を中心として略水平方向に開閉動するようになっている。そして、この扉体２は、図１及び図２に示す「閉位置」においては上記開口４を閉蓋し、図３及び図４に示す「開位置」においては上記第１端面壁１Ａに対して略直交する方向に延出して上記開口４を開放する。
【００３０】
さらに、上記破砕室３を挟んで対向する上記扉体２と上記ケーシング１の第２端面壁１Ｂの同軸上位置には、次述の第１回転軸２１の嵌挿を許容する嵌挿孔２７，２８が、それぞれ形成されている。尚、これら各嵌挿孔２７，２８の部位には、それぞれ第１軸受３１と第２軸受３２がそれぞれ固定ボルト３４，３４，・・により固定配置される。また、この第２軸受３２の軸方向後方側位置（第２軸受３２に対して上記第１軸受３１の反対側位置）には、該第２軸受３２と所定間隔をもって第３軸受３３が、上記第１、第２軸受３２，３３と同軸上に位置するようにして配置されている。
【００３１】
回転軸ユニットＶ
上記回転軸ユニットＶは、特許請求の範囲中の「回転軸」に該当するものであって、図２、図４及び図５に示すように、次述の第１回転軸２１と第２回転軸２２とで構成されている。
【００３２】
第１回転軸２１
上記第１回転軸２１は、上記ケーシング１の破砕室３を貫通した状態で配置され、上記第１軸受３１と第２軸受３２及び第３軸受３３によって回転自在に支承されるものであって、上記第１軸受３１により支承される一端２１ａの端面は切り落とし端面とされ、且つこの端面には後述の補助軸２３を連結するためのネジ孔２５が形成されている（図５参照）。尚、この第１回転軸２１の一端２１ａは、上記第１軸受３１の外端より僅かに外方へ突出している（従って、上記破砕室３の内壁位置よりも外方に位置している）。
【００３３】
また、上記第３軸受３３により支承される上記第１回転軸２１の他端２１ｂは、該第３軸受３３よりも軸方向外方へ所定長さだけ突出しており、この突出部分にはプーリー７が固着されている。従って、上記第１回転軸２１は、上記プーリー７に掛け回されるベルト８を介してモーター等の駆動源により回転駆動されることになる。
【００３４】
尚、上記第１軸受３１は、後述するように上記扉体２が「開位置」に設定される交換作業時には、該扉体２から取り外される。そして、この第１軸受３１を取り外した後の上記各固定ボルト３４，３４，・・のボルト孔には、図４に示すように後述する支持部材６を固定する固定ボルト４８，４８，・・が螺着される。
【００３５】
第２回転軸２２
上記第２回転軸２２は、上記第２回転軸２２の外側に摺動自在に嵌挿される管体で構成され、その軸長は、上記ケーシング１における上記第１端面壁１Ａと第２端面壁１Ｂの内間隔より所定量だけ短く設定されている。そして、この第２回転軸２２は、図２に示すように、上記第１回転軸２１の上記破砕室３の内部に位置する部分（即ち、上記第１軸受３１と第２軸受３２の間の部分）の外側に、その軸方向両端側にそれぞれスペーサ４０，４０を介在させた状態で、且つ該第１回転軸２１に対してその軸方向に摺動自在に、嵌挿配置される。
【００３６】
このように、上記第２回転軸２２が上記破砕室３内に位置している状態における該第２回転軸２２の上記第１回転軸２１に対する嵌挿位置においては、図５に示すように上記第１回転軸２１と上記第２回転軸２２とがキー３９によってその回転方向に係合し、上記第２回転軸２２は上記第１回転軸２１と一体的に回転されるようになっている（以下、説明の便宜上、この時の上記第２回転軸２２の位置を、「稼働時位置」という）。
【００３７】
尚、上記第２回転軸２２の上記プーリー７寄りに位置する端部２２ａの内周面には、図５に示すように、該第２回転軸２２の嵌挿作業時に該第２回転軸２２と上記第１回転軸２１との嵌挿隙間に破砕微粉が侵入するのを防止すべく、ダストシール４２が装着されている。さらに、この第２回転軸２２の軸方向両端面にそれぞれ対向する如く配置される上記各スペーサ４０，４０には、それぞれシールリング４１が装着されており、上記第２回転軸２２が「稼働時位置」に設定されている状態では、これら各シールリング４１，４１が該第２回転軸２２の両端面にそれぞれ押圧接触してこれらの間におけるシール性が確保されるようになっている。
【００３８】
さらに、この第２回転軸２２は、次述のハンマーユニットＵの取付部材となるものであって、一対の円板体を所定間隔で対向させてなるハンマー支持ブラケット１１が、該第２回転軸２２の外周面上に且つその軸方向に所定間隔で複数個（この実施形態においては７個）固定されている。
【００３９】
ハンマーユニットＵ
上記ハンマーユニットＵは、図２及び図３に示すように、所定長さをもつアーム部１０ｂの先端にハンマーヘッド１０ａを取り付けてなるハンマー１０を、上記回転軸ユニットＶの第２回転軸２２に設けられた上記各ハンマー支持ブラケット１１，１１，・・のそれぞれに、揺動可能に取り付けて構成される。従って、このハンマーユニットＵの各ハンマー１０，１０・・は、上記回転軸ユニットＶの回転に伴いこれと一体的に回転し、所要の破砕作用を為すことになる。
【００４０】
補助軸２３
上記補助軸２３は、上記ハンマー１０，１０・・等の交換作業時のみに使用されるものであって、図４及び図５に示すように、上記第１回転軸２１と略同径で、且つ上記第２回転軸２２の軸長と略同等の軸長をもつ管体で構成される。そして、この補助軸２３は、その一端２３ａの端面に上記第１回転軸２１の端面に設けたネジ孔２５に螺合する連結ボルト２６を取り付ける一方、他端２３ｂの端面にはネジ孔２９を設けている。尚、このネジ孔２９には、把手４６に設けた支持ボルト４５が螺合される。
【００４１】
支持部材６
上記支持部材６は、交換作業時において上記補助軸２３の他端２３ｂを支持するためのものであって、図３及び図４に示すように、直交する二方向へ伸びる第１アーム部６Ａと第２アーム部６Ｂとを備えた「Ｌ」字状の板材で構成される。この支持部材６は、上記第１アーム部６Ａを、上記第１軸受３１の取付用のボルト孔を利用して固定ボルト４８，４８，・・により上記扉体２の裏面に着脱自在に取り付けられ、この扉体２への取付状態においては上記第２アーム部６Ｂが上記ケーシング１の第１端面壁１Ａに対してこれと略平行に対向している。
【００４２】
そして、この第２アーム部６Ｂの先端側で且つ上記第１回転軸２１と同軸上の位置には、図５に示すように上記補助軸２３の他端２３ｂを嵌入させるための凹部６１が形成されるとともに、該凹部６１の中心位置には上記把手４６の支持ボルト４５を挿通させるための挿通孔６２が形成されている。
【００４３】
さらに、上記第２アーム部６Ｂの中間位置には、該第２アーム部６Ｂからその裏面側に延出する回止めピン４７が取り付けられている。この回止めピン４７は、上記ハンマーユニットＵの各ハンマー１０，１０・・のうち、最外側に位置するハンマー１０のアーム部１０ｂに設けた孔（図示省略）に挿入されることで上記ハンマーユニットＵの回り止めを行うものである。
【００４４】
以上が上記破砕機Ｚの構成である。
【００４５】
破砕機Ｚの破砕作業及び交換作業の説明
続いて、上記破砕機Ｚを使用しての破砕作業、及び上記ハンマー１０，１０・・等の交換作業を、それぞれ説明する。
【００４６】
破砕作業
破砕作業は、図１及び図２に示すように、上記回転軸ユニットＶの上記第２回転軸２２が「稼働時位置」に設定され、且つこの第２回転軸２２とこれに取り付けられた上記ハンマーユニットＵが共に上記ケーシング１の破砕室３内に位置するとともに、上記第１回転軸２１の一端２１ａが「閉位置」に固定された扉体２に設けた上記第１軸受３１によって支承された状態において行われる。
【００４７】
即ち、この状態において、上記第１回転軸２１を駆動源により回転駆動し、上記ハンマーユニットＵの各ハンマー１０，１０・・をそれぞれ回転させるとともに、上記開口５から破砕室３内にガラス瓶等の被破砕物を投入すると、上記破砕室３内で回転している上記ハンマー１０，１０・・によって上記被破砕物が殴打され、その時の衝撃力によって該被破砕物が順次破砕され、次第に細かい破砕片とされるものである。
【００４８】
尚、この破砕作業中は上記破砕室３内に破砕微粉が浮遊しているが、上記第２回転軸２２の軸方向両端にそれぞれ配置した上記スペーサ４０，４０にシールリング４１が備えられているので、この破砕微粉が上記第２回転軸２２と第１回転軸２１の嵌挿隙間に侵入することが確実に防止される。この結果、以下に述べる交換作業において上記第２回転軸２２を第１回転軸２１に対して相対移動させたとしても、嵌挿隙間に侵入した破砕微粉によって第１回転軸２１と第２回転軸２２の嵌挿部分に傷が付くというようなことが未然に防止されることになる。
【００４９】
交換作業
一方、このように上記各ハンマー１０，１０・・の衝撃力によって被破砕物を破砕する場合、上記ハンマー１０，１０・・は勿論のこと、上記第２回転軸２２及びこれに設けられた上記各ハンマー支持ブラケット１１，１１・・も、破砕作業中、常時、被破砕物あるいは破砕片に接触することから、破砕作業時間の累積とともに、これらが次第に摩滅して破砕能力が低下することになるため、例えば所定の稼働時間毎に上記ハンマー１０，１０・・、第２回転軸２２等の交換が必要となる。
【００５０】
ここでは、上記ハンマー１０，１０・・のみの交換時を例にとってその作業状態を説明する。
【００５１】
上記ハンマー１０，１０・・の交換作業に際しては、図２の状態にある破砕機Ｚにおいて、先ず、最初に、上記第１軸受３１を上記扉体２から取り外し、該扉体２による上記第１回転軸２１の支持作用を解除する。しかる後、上記扉体２を固定している固定ボルト３５，３５，・・を取り外し、該扉体２を、図３及び図４に示すように開いてこれを「開位置」とする。この扉体２の「開位置」への設定により、上記第１回転軸２１と第２回転軸２２及び回転軸ユニットＶは、共に上記開口４から外部に臨ましめられる。
【００５２】
次に、外部に臨んでいる上記第１回転軸２１の一端２１ａの端面に、上記補助軸２３を、その一端２３ａに設けた連結ボルト２６を介して、同軸上に連結固定する。さらに、上記支持部材６を上記扉体２の内面側に、固定ボルト４８，４８，・・により取り付けるとともに、該支持部材６の第２アーム部６Ｂに設けた凹部６１内に上記補助軸２３の他端２３ｂを嵌入させ、且つ該補助軸２３の他端２３ｂを上記把手４６の支持ボルト４５によって上記支持部材６側に固定する。これで、上記補助軸２３と上記第１回転軸２１とは一体化され、この一体物は上記第２軸受３２と第３軸受３３及び上記支持部材６の三者によって支持されることになる。
【００５３】
しかる後、開口４から上記破砕室３内に手を差し入れて、上記開口４を通して上記第２回転軸２２とこれに取り付けられた上記ハンマーユニットＵとを一体的に手前に引き、これらを上記破砕室３の外側に引き出すとともに上記回止めピン４７によって上記ハンマーユニットＵの回り止めを行う（図４に示す状態）。
【００５４】
この第２回転軸２２等の引き出し時には、上記第１回転軸２１と上記補助軸２３とが共にその摺動ガイドとなり、引き出し作業が容易に且つスムーズに行われることになる。
【００５５】
また、上記ハンマーユニットＵ等を引き出した状態においては、上記第１回転軸２１の一端２１ａの位置が上記ケーシング１の第１端面壁１Ａよりも外側に位置していることから、上記第２回転軸２２は上記第１回転軸２１の一端２１ａ部分から上記補助軸２３に跨がって嵌挿され、これら両者によって支持される状態となっている。さらに、一体化された上記第１回転軸２１と補助軸２３とが上記第２軸受３２と支持部材６とによって両端支持状態となっている、これらの結果、上記第２回転軸２２及びハンマーユニットＵの支持が安定的に且つ確実に行われることになる。
【００５６】
この状態で、上記第２回転軸２２から上記ハンマー１０，１０・・をそれぞれ取り外し、これを新しいものと交換する。この場合、この実施形態の破砕機Ｚにおいては、上記ハンマー１０，１０・・の交換を上記破砕室３の外側で行うことができるものであることから、例えば、従来のように作業者が破砕室３内に入って交換作業を行う場合に比して、作業スペースが十分に確保され、適正な作業動作及び作業姿勢の下で能率よく作業を行うことができる。しかも、破砕室３の内壁面等に付着残留した破砕微粉の飛散浮遊ということもなく、安全快適な作業環境下での作業が実現される。これらの結果、交換作業における作業能率がさらに高められ、作業工数の低減により作業コストを低く抑えることができるものである。
【００５７】
上記ハンマー１０，１０・・の交換作業が完了すると、上記作業手順と逆の手順によって上記第２回転軸２２及びハンマーユニットＵを上記破砕室３内に収容する。この場合、上記第２回転軸２２は、交換作業中、上記破砕室３内に露出しているため、この露出部分に破砕室３内に浮遊している破砕微粉が付着するということも考えられる。ところが、この実施形態のものにおいては、上記第２回転軸２２の一端２２ａ側に上記ダストシール４２を配置しているので、例え上記第１回転軸２１の露出部分に破砕微粉が付着していたとしても、上記第１回転軸２１に対して上記第２回転軸２２を押し込む場合、この付着破砕微粉が上記ダストシール４２によって除去され、該破砕微粉が上記第１回転軸２１と第２回転軸２２の嵌挿隙間に侵入することが未然に防止されることになる。
【００５８】
以上でハンマー１０，１０・・の交換作業が完了する。
【００５９】
尚、上記の交換作業においては、上記第１回転軸２１の一端２１ａ側に上記補助軸２３を取り付け、交換作業中は上記補助軸２３によって上記第２回転軸２２及びハンマーユニットＵを支持するようにしていたが、他の作業形態として、例えば上記補助軸２３を設けることなく、上記第１回転軸２１の一端２１ａ側に引き出された上記第２回転軸２２の一端２２ａ側をそのまま該第１回転軸２１の一端２１ａ側に支持させ、あるいは該第２回転軸２２の他端２２ｂを上記支持部材６とは別の支持材によって支持し、この状態で交換作業を行うことも可能である。特に、前者の場合には、上記第１回転軸２１が片持ち支持状態となるが、該第１回転軸２１は上記第２軸受３２と第３軸受３３とによってモーメント支持が可能なように支承されているので何ら支障は生じず、しかも上記補助軸２３を必要としない分だけコストダウンが図れるものである。
【００６０】
また、上記の如くハンマー１０，１０・・のみを交換するのではなく、例えば、上記ハンマー１０，１０・・と共に上記第２回転軸２２をも同時に交換するような場合には、上記扉体２を「開位置」とした後、上記補助軸２３及び支持部材６を取り付けることなく、そのまま上記第２回転軸２２を上記第１回転軸２１の一端２１ａ側に引き出し、これを該第１回転軸２１から取り外し、しかる後、新たな第２回転軸２２及びハンマー１０，１０・・を該第１回転軸２１に組み付けるようにすれば良い。尚、この実施形態のものにおいては、上記回転軸ユニットＶを第１回転軸２１と第２回転軸２２とで構成したことで、摩滅による交換が必要になるのはこれら両者のうち、第２回転軸２２のみであることから、例えば従来のように回転軸を一体形成し且つこれをそのまま交換する構成とする場合に比して、交換部品コストが安くつき経済的であるとともに、交換部品の重量が少ないことで交換作業の作業性も良好となるものである。
【００６１】
さらに、上記実施形態においては、上記支持部材６を上記扉体２に取り付けるようにしているが、かかる構成の外に、例えば該支持部材６を上記ケーシング１あるいは上記破砕機Ｚの設置基台３０側に取り付ける等、任意にその取付位置を選択できるものである。
【図面の簡単な説明】
【００６２】
【図１】  本願発明にかかる破砕機の運転時における形態を示す正面図である。
【図２】  図１のＩＩ−ＩＩ矢視図（一部断面）である。
【図３】  本願発明にかかる破砕機の点検保守時における形態を示す正面図である。
【図４】  図３のＩＶ−ＩＶ矢視図（一部断面）である。
【図５】  図２に示した回転軸ユニットの構造説明図である。
【符号の説明】
【００６３】
１はケーシング、１Ａは第１端面壁、１Ｂは第２端面壁、１Ｃは第３端面壁、２は扉体、３は破砕室、４及び５は開口、６は支持部材、７はプーリー、８はベルト、１０はハンマー、１１はハンマー支持ブラケット、１２は連結ピン、１６はヒンジ機構、１７はブラケット、１８はブラケット、１９は枢支軸、２１は第１回転軸、２２は第２回転軸、２３は補助軸、２４はカラー、２５はネジ孔、２６は連結ボルト、３１は第１軸受、３２は第２軸受、３３は第３軸受、３４及び３５は固定ボルト、３９はキー、４０はスペーサ、４１はシールリング、４２はダストシール、４５は支持ボルト、４６は把手、４７は回止めピン、４８は固定ボルト、Ｕはハンマーユニット、Ｖは回転軸ユニット、Ｚは破砕機である。
【図１】
0004171538.tif 000002
【図２】
0004171538.tif 000003
【図３】
0004171538.tif 000004
【図４】
0004171538.tif 000005
【図５】
0004171538.tif 000006